(57)【要約】  本発明に係る可視口腔洗浄器は、口腔洗浄器と、口腔観察装置と、接続機構とを備える。スプレーヘッドの吐水口は、口腔観察装置の観察システムの視野内にある。圧力容器は、加圧器と、ハウジングと、流体収容空間とを備える。加圧器により圧力容器内の水圧を増加させることができる。制御スイッチをオンにすると、水がスプレーガンのスプレーヘッドから噴射され、直視状態で歯又は口腔を清掃するとともに、清掃過程に対して画像及び映像の記録をリアルタイムで行うことができる。本発明に係る可視口腔洗浄器は、取り外し可能な設計方式を採用するので、スプレーヘッドも、水タンクも、容易に取り外して洗浄することができ、使用過程がより衛生的で便利である。
2020531062.tif 000002
【特許請求の範囲】
【請求項１】
可視口腔洗浄器用スプレーヘッド（１１）であって、ノズル（１１−１）と、接続機構（１１−２）とを備え、
Ａ、前記ノズル（１１−１）は、注水口（１１−１１）と、通路（１１−１２）と、吐水口（１１−１３）とを備え、前記注水口（１１−１１）は、可視口腔洗浄器（９００）の口腔洗浄器（１００）のスプレーガン（１２）の流体通路（１２−１）の出口（１２−１１）と接続されており、前記口腔洗浄器（１００）内の流体は、前記スプレーガン（１２）の流体通路（１２−１）の出口（１２−１１）を通って前記注水口（１１−１１）に流入し、前記通路（１１−１２）を通って前記吐水口（１１−１３）から噴射され、
Ｂ、前記ノズル（１１−１）は、前記スプレーヘッド（１１）と前記スプレーガン（１２）との接続を実現するように、前記接続機構（１１−２）を介して前記可視口腔洗浄器（９００）の口腔観察装置（２００）のハウジング（２１）に取り外し可能に取り付けられている
ことを特徴とする可視口腔洗浄器用スプレーヘッド。
【請求項２】
前記吐水口（１１−１３）は、前記口腔観察装置（２００）の観察システム（２４）の視野内にあることを特徴とする請求項１に記載の可視口腔洗浄器用スプレーヘッド。
【請求項３】
前記吐水口（１１−１３）は、滑らかな端面（１１−１２−１）を有することを特徴とする請求項１に記載の可視口腔洗浄器用スプレーヘッド。
【請求項４】
前記ノズル（１１−１）は、人間の口腔の要件に合う湾曲部（１１−１４）を有することを特徴とする請求項１に記載の可視口腔洗浄器用スプレーヘッド。
【請求項５】
前記吐水口（１１−１３）は、異なる形状を有し、円錐形、楕円形、扁平形又は球形であることを特徴とする請求項１に記載の可視口腔洗浄器用スプレーヘッド。
【請求項６】
前記接続機構（１１−１２）は、逆Ｔ字形構造の位置決めブロック（３１）を備え、前記口腔観察装置（２００）のハウジング（２１）には、前記接続機構（１１−２）と接続可能な位置決めスロット（３２）及び係止ブロック（３３）が設けられており、
前記スプレーヘッド（１１）を前記口腔観察装置（２００）に固定して前記スプレーヘッド（１１）と前記スプレーガン（１２）との接続を実現するように、前記接続機構（１１−２）における位置決めブロック（３１）は、前記位置決めスロット（３２）内に嵌め込み可能であり、前記係止ブロック（３３）は、前記接続機構（１１−２）の後方への摺動を阻止可能であることを特徴とする請求項１に記載の可視口腔洗浄器用スプレーヘッド。
【請求項７】
可視口腔洗浄器（９００）であって、前記可視口腔洗浄器（９００）の口腔洗浄器（１００）は、請求項１に記載のスプレーヘッド（１１）を備えることを特徴とする可視口腔洗浄器。
【請求項８】
前記可視口腔洗浄器（９００）は、口腔洗浄器（１００）と、口腔観察装置（２００）と、接続機構（３００）とを備え、
Ａ、前記口腔洗浄器（１００）は、スプレーヘッド（１１）と、スプレーガン（１２）と、制御スイッチ（１３）と、圧力容器（１４）と、接続管（１５）と、継手（１６）とを備え、前記スプレーヘッド（１１）は、前記スプレーガン（１２）の先端に取り外し可能に設けられており、前記制御スイッチ（１３）は、前記スプレーガン（１２）における流体の噴射を制御可能であり、前記圧力容器（１４）内の流体は、前記接続管（１５）及び前記継手（１６）を介してスプレーガン（１２）と接続されており、
Ｂ、前記口腔観察装置（２００）は、ハウジング（２１）と、電源システム（２２）と、照明システム（２３）と、観察システム（２４）と、回路システム（２５）と、スイッチ（２６）とを備え、前記照明システム（２３）、前記観察システム（２４）、前記回路システム（２５）及び前記電源システム（２２）は、前記ハウジング（２１）内に取り付けられており、前記スイッチ（２６）は、前記ハウジング（２１）に取り付けられており、前記照明システム（２３）と、前記観察システム（２４）と、前記電源システム（２２）と、スイッチ（２６）とは、前記回路システム（２５）を介して接続されており、
Ｃ、前記口腔洗浄器（１００）は、前記接続機構（３００）を介して前記口腔観察装置（２００）に取り付けられている
ことを特徴とする請求項７に記載の可視口腔洗浄器。
【請求項９】
前記口腔洗浄器（１００）の圧力容器（１４）は、加圧器（１４−１）と、水タンク（１４−１２）とを備え、前記水タンク（１４−１２）は、ハウジング（１４−２）と、流体収容空間（１４−３）とを備え、前記加圧器（１４−１）は、前記水タンク（１４−１２）内の流体を加圧可能であることを特徴とする請求項８に記載の可視口腔洗浄器。
【請求項１０】
前記水タンク（１４−１２）は、前記接続管（１５）に取り外し可能に取り付けられていることを特徴とする請求項９に記載の可視口腔洗浄器。
【請求項１１】
前記水タンク（１４−１２）は、ねじ込み接続方式、凹凸嵌合接続方式又は締り嵌め接続方式で前記接続管（１５）に接続されていることを特徴とする請求項１０に記載の可視口腔洗浄器。
【請求項１２】
前記観察システム（２４）は、カメラ（２４−１−１）と、データ処理及び出力システム（２４−１−２）と、回路システム（２５）と、電源システム（２２）とを備える撮像システム（２４−１）であることを特徴とする請求項８に記載の可視口腔洗浄器。
【請求項１３】
前記撮像システム（２４−１）のデータ処理及び出力システム（２４−１−２）によって出力される映像データは、有線接続又は無線接続方式で表示装置（２４−１−３）に表示可能であり、前記表示装置（２４−１−３）は、スマートフォン（２４−１−３１）、コンピュータ（２４−１−３２）、液晶表示装置（２４−１−３３）又はテレビ（２４−１−３４）を含むことを特徴とする請求項１２に記載の可視口腔洗浄器。
【請求項１４】
前記可視口腔洗浄器（９００）の先端（９００−１）と前記可視口腔洗浄器（９００）の本体（９００−２）とは、折り畳み式接続機構（９００−４）を介して接続されていることを特徴とする請求項８に記載の可視口腔洗浄器。
【請求項１５】
前記折り畳み式接続機構（９００−４）は、回転軸運動機構又は凹凸嵌合機構であることを特徴とする請求項１４に記載の可視口腔洗浄器。
【請求項１６】
前記折り畳み式接続機構（９００−４）は、回転軸（９００−４−１）と、回転軸孔（９００−４−２）とを備える回転軸接続機構であり、前記回転軸（９００−４−１）は、前記回転軸孔（９００−４−２）内で運動可能であることを特徴とする請求項１５に記載の可視口腔洗浄器。
【請求項１７】
前記可視口腔洗浄器（９００）の口腔観察装置（２００）の先端（２００−１）と前記口腔観察装置（２００）の本体（２００−２）とは、折り畳み式接続機構（９００−４）を介して接続されていることを特徴とする請求項１４に記載の可視口腔洗浄器。
【請求項１８】
前記可視口腔洗浄器（９００）の口腔洗浄器（１００）の先端（１００−１）と前記口腔洗浄器（１００）の本体（１００−２）とは、折り畳み式接続機構（９００−４）を介して接続されていることを特徴とする請求項１４に記載の可視口腔洗浄器。
【発明の詳細な説明】
【技術分野】
【０００１】
本発明は、口腔清掃用器具に関し、特に、歯、歯間及び口腔を清掃するための可視口腔洗浄器に関する。
【背景技術】
【０００２】
加齢、病変などの理由により、歯肉の萎縮、歯間の拡大を非常に生じやすく、それによって食物残渣が極めて生じやすいことがある。食物残渣を適時に清掃することができない場合、一方では、口臭が発生し、他方では、様々な歯の疾病、口腔疾患、特に歯周炎を引き起こしやすい。
【０００３】
このような状況に応えて、現在、様々なデンタルフロス、歯間ブラシ、ウォーターピックなどの製品が、ユーザが選べるように市場で開発されている。様々な構造、異なる仕様を有するデンタルフロス、歯間ブラシなどの製品が、現在、市場に存在するが、既存の製品は、一般的に、歯間を観察しにくい欠点がある。特に、第３大臼歯と第２大臼歯との間の隙間、第２大臼歯と第１大臼歯との間の隙間又は第１大臼歯と第２小臼歯との間の隙間を清掃するとき、清掃を必要とする歯間が口腔の奥側に位置するので、清掃部位が極めて暗く、清掃する歯間が明瞭に見えず、ユーザは、感覚でしか操作ができず、歯肉出血又は損傷を起こしやすい。
【０００４】
上記技術の不都合を克服するために、出願人の「可視口腔洗浄器」（出願番号：）という特許出願には、直視状態で歯間を清掃可能な可視口腔洗浄器が開示されている。本願は、当該出願におけるスプレーヘッドをさらに改良するものである。
【発明の概要】
【０００５】
本発明は、ノズル１１−１と、接続機構１１−２とを備えるスプレーヘッド１１であって、
Ａ、前記ノズル１１−１は、注水口１１−１１と、通路１１−１２と、吐水口１１−１３とを備え、前記注水口１１−１１は、可視口腔洗浄器９００の口腔洗浄器１００のスプレーガン１２の流体通路１２−１の出口１２−１１と接続されており、前記口腔洗浄器１００内の流体は、前記スプレーガン１２の流体通路１２−１の出口１２−１１を通って前記注水口１１−１１に流入し、前記通路１１−１２を通って前記吐水口１１−１３から噴射され、
Ｂ、前記ノズル１１−１は、前記接続機構１１−２を介して前記可視口腔洗浄器９００の口腔観察装置２００のハウジング２１に取り外し可能に取り付けられており、前記スプレーヘッド１１と前記スプレーガン１２との接続を実現する
ことを特徴とする可視口腔洗浄器用スプレーヘッドである。
【０００６】
本発明に係る可視口腔洗浄器用スプレーヘッドは、取り外し可能な取付方式で前記スプレーガン１２と接続されている。使用完了後、前記スプレーヘッド１１を前記口腔観察装置２００から取り外して洗浄及び交換を行うことができるので、清掃しやすく、使用過程がより衛生的である。
【０００７】
前記吐水口１１−１３は、前記口腔観察装置２００の観察システム２４の視野内にある。前記吐水口１１−１３は、前記口腔観察装置２００の観察システム２４の視野内にあることにより、使用過程に前記吐水口１１−１３を、清掃を必要とする歯間と直接に位置合わせすることができることを確保する。スイッチをオンにすると、噴射される流体は、歯間に直接に入って食物残渣を洗い落とすことができるとともに、前記吐水口１１−１３の位置並びに前記吐水口１１−１３からの流体の噴射時の流量の大きさ、運動方向及び運動速度をリアルタイムで観察し、清掃部位に対する正確な可視化操作を確実に実現することができる。
【０００８】
前記吐水口１１−１３は、滑らかな端面１１−１２−１を有する。使用過程に、前記スプレーヘッド１１が常に歯又は歯肉表面に沿って摺動する必要があるので、滑らかな端面の設計により、使用過程に、歯又は歯肉に不測の損傷が発生しないことを確保することができ、使用過程がより安全で快適である。前記ノズル１１−１の異なる形状によっては、前記端面１１−１２−１も相応的に平面、球面又は他の形状の滑らかな端面である。
【０００９】
前記ノズル１１−１は、人間の口腔の要件に合う湾曲部１１−１４を有する。特に、歯の外側に沿って後側の大臼歯を清掃する必要があるときは、前記湾曲部１１−１４により、前記スプレーヘッド１１が大臼歯の位置に円滑に到達することができるので、使用過程がより快適である。
【００１０】
前記吐水口１１−１３は、異なる形状を有し、円錐形、楕円形、扁平形又は球形である。形状の異なる前記吐水口１１−１３は、形状の異なる水流を噴射することができ、例えば、円錐形の前記吐水口１１−１３が単一の水ジェット又は複数の水ジェットを噴射できるが、球形の前記吐水口１１−１３がシャワー型の水流を形成できる。そして、前記吐水口１１−１３の形状の相違により、直線型の水ジェット又はラッパ型の水ジェットなどの形状の異なる水ジェットを噴射することができる。清掃を必要とする部位の形状及び清掃を必要とする面積の相違により、ユーザは、異なる出口形状を選択でき、例えば、歯間の清掃時には、円錐形出口を選択でき、歯と歯肉との結合箇所の清掃時には、扁平形出口を選択でき、舌体の清掃時には、球形出口を選択できるので、使用過程がより便利である。ここでは、出願人は、上記した幾つかの吐水口の形状のみを挙げたが、当業者は、本願の保護範囲から逸脱することなく、必要に応じて他の様々な形状の前記吐水口１１−１３を設計することができる。
【００１１】
前記接続機構１１−１２は、逆Ｔ字形構造の位置決めブロック３１を備え、前記口腔観察装置２００のハウジング２１には、前記接続機構１１−２と接続可能な位置決めスロット３２及び係止ブロック３３が設けられており、前記接続機構１１−２における位置決めブロック３１は、前記位置決めスロット３２内に嵌め込み可能であり、前記係止ブロック３３は、前記接続機構１１−２の後方への摺動を阻止可能であり、前記スプレーヘッド１１を前記口腔観察装置２００に固定して前記スプレーヘッド１１と前記スプレーガン１２との接続を実現する。
【００１２】
本発明に係る可視口腔洗浄器は、可視口腔洗浄器９００であって、前記可視口腔洗浄器９００の口腔洗浄器１００が前記スプレーヘッド１１を備えることを特徴とする。
【００１３】
前記可視口腔洗浄器９００は、口腔洗浄器１００と、口腔観察装置２００と、接続機構３００とを備え、
Ａ、前記口腔洗浄器１００は、スプレーヘッド１１と、スプレーガン１２と、制御スイッチ１３と、圧力容器１４と、接続管１５と、継手１６とを備え、前記スプレーヘッド１１は、前記スプレーガン１２の先端に取り外し可能に設けられており、前記制御スイッチ１３は、前記スプレーガン１２における流体の噴射を制御可能であり、前記圧力容器１４内の流体は、前記接続管１５及び前記継手１６を介してスプレーガン１２と接続されており、
Ｂ、前記口腔観察装置２００は、ハウジング２１と、電源システム２２と、照明システム２３と、観察システム２４と、回路システム２５と、スイッチ２６とを備え、前記照明システム２３、前記観察システム２４、前記回路システム２５及び前記電源システム２２は、前記ハウジング２１内に取り付けられており、前記スイッチ２６は、前記ハウジング２１に取り付けられており、前記照明システム２３と、前記観察システム２４と、前記電源システム２２と、スイッチ２６とは、前記回路システム２５を介して接続されており、
Ｃ、前記口腔洗浄器１００は、前記接続機構３００を介して前記口腔観察装置２００に取り付けられている。
【００１４】
本発明に係る可視口腔洗浄器は、使用時に、前記スプレーヘッド１１の吐水口１１−１３を、歯間のような清掃を必要とする部位と直接に位置合わせすることができる。前記制御スイッチ１３をオンにすると、前記圧力容器１４内の加圧された流体は、前記吐水口１１−１３から噴射され、清掃部位に対する正確な可視化洗浄を実現する。
【００１５】
前記口腔洗浄器１００の圧力容器１４は、加圧器１４−１と、水タンク１４−１２とを備え、前記水タンク１４−１２は、ハウジング１４−２と、流体収容空間１４−３とを備え、前記加圧器１４−１は、前記水タンク１４−１２内の流体を加圧可能である。
【００１６】
前記加圧器１４−１は、機械式加圧器であってもよく、電動加圧器であってもよい。本発明では、前記加圧器１４−１は、電動加圧器１４２である。前記電動加圧器１４２は、電源をオンにするだけで自動圧力上昇を実現し、圧力を安定に保つことができるので、使用過程がより便利である。前記加圧器１４−１が電動加圧器１４２である場合、前記電源システム２２には、前記電動加圧器１４２をより良好に駆動して作動させるように前記電源システム２２の電圧を上昇させるために、加圧器２２−１を設けてもよい。
【００１７】
前記水タンク１４−１２は、前記接続管１５に取り外し可能に取り付けられている。前記接続管１５には、接続基部１５−３が設けられており、前記水タンク１４−１２は、前記接続基部１５−３を介して前記接続管１５と取り外し可能に接続されている。取り外し可能な接続方式により、使用過程に、前記水タンク１４−１２を前記接続管１５から容易に取り外して清掃することができるので、使用過程がより衛生的である。
【００１８】
前記水タンク１４−１２は、ねじ込み接続方式、凹凸嵌合接続方式又は締り嵌め接続方式で前記接続管１５に接続されている。ここでは、出願人は、上記の３つの取り外し可能な接続方式のみを挙げたが、当業者は、本願の保護範囲から逸脱することなく、必要に応じて他の様々な構造の接続方式を設計することができる。
【００１９】
前記観察システム２４は、カメラ２４−１−１と、データ処理及び出力システム２４−１−２と、回路システム２５と、電源システム２２とを備える撮像システム２４−１である。
【００２０】
前記撮像システム２４−１のデータ処理及び出力システム２４−１−２によって出力される映像データは、有線接続又は無線接続方式で表示装置２４−１−３に表示可能であり、前記表示装置２４−１−３は、スマートフォン２４−１−３１、コンピュータ２４−１−３２、液晶表示装置２４−１−３３又はテレビ２４−１−３４を含む。
【００２１】
前記照明システム２３は、前記カメラ２４−１−１の周囲に設けられている。照明を向上させるために、照明輝度を調整するための追加のＬＥＤライトを前記口腔観察装置２００のハウジング２１に設けてもよい。
【００２２】
前記可視口腔洗浄器９００の先端９００−１と前記可視口腔洗浄器９００の本体９００−２とは、折り畳み式接続機構９００−４を介して接続されている。
【００２３】
前記折り畳み式接続機構９００−４は、回転軸運動機構又は凹凸嵌合機構である。
【００２４】
前記折り畳み式接続機構９００−４は、回転軸９００−４−１と、回転軸孔９００−４−２とを備える回転軸接続機構であり、前記回転軸９００−４−１は、前記回転軸孔９００−４−２内で運動可能である。
【００２５】
当然ながら、当業者は、本願の保護範囲から逸脱することなく、必要に応じて他の様々な構造の折り畳み方式を設計することができる。
【００２６】
前記可視口腔洗浄器９００の口腔観察装置２００の先端２００−１と前記口腔観察装置２００の本体２００−２とは、折り畳み式接続機構９００−４を介して接続されている。前記口腔観察装置２００の先端２００−１の回路２５−１と前記口腔観察装置２００の本体２００−２の回路２５−２とは、折り曲げ可能な可撓性回路を介して接続されているので、使用完了後、前記口腔観察装置２００の先端２００−１を前記回転軸９００−４−１のまわりに回転させるだけで、前記口腔観察装置２００の先端２００−１を前記口腔観察装置２００の本体２００−２に対して折り畳むことができ、保管及び携帯に便利である。使用したい時、前記口腔観察装置２００の先端２００−１を前記回転軸９００−４−１のまわりに逆方向に回転させるだけで前記口腔観察装置２００を展開することができる。
【００２７】
前記可視口腔洗浄器９００の口腔洗浄器１００の先端１００−１と前記口腔洗浄器１００の本体１００−２とは、折り畳み式接続機構９００−４を介して接続されている。前記口腔洗浄器１００の先端１００−１が前記折り畳み式接続機構９００−４の前記回転軸９００−４−１のまわりに回転するとき、前記口腔洗浄器１００の先端１００−１を前記口腔洗浄器１００の本体１００−２に対して展開する又は折り畳むことができる。前記口腔洗浄器１００の先端１００−１の水路は、折り曲げ接続部材１００−３を介して前記口腔洗浄器１００の本体１００−２の水路と接続されている。折り曲げ接続部材１００−３は、折り畳み過程にホースのように折り曲げられて折り畳み動作を繰り返す必要がないので、折り畳みの繰り返しによるホースの疲労破断を効果的に回避し、製品の耐用年数を効果的に向上させることができる。
【００２８】
使用時に、まず、前記可視口腔洗浄器９００の先端９００−１を前記折り畳み式接続機構９００−４のまわりに回転させ、前記可視口腔洗浄器９００を展開し、次いで、前記スプレーヘッド１１を、前記接続機構１１−２を介して前記口腔観察装置２００のハウジング２１に接続し、前記スプレーヘッド１１とスプレーガン１２との接続を実現する。前記口腔観察装置２００を起動し、前記スプレーヘッド１１の吐水口１１−１３を、清掃を必要とする歯間と位置合わせし、前記制御スイッチ１３をオンにすることで、加圧された水は、前記吐水口１１−１３から噴射され、清掃を必要とする部位を正確に清掃することができる。前記水タンク１４−２を清掃する必要があると感じる場合、前記水タンク１４−２を前記接続基部１５−３から取り外すだけで洗浄を行うことができる。使用完了後、前記スプレーヘッド１１及び前記水タンク１４−２を取り外し、きれいに洗浄し、前記可視口腔洗浄器９００の先端９００−１を前記折り畳み式接続機構９００−４のまわりに回転させ、前記可視口腔洗浄器９００を折り畳んで保管すればよい。
【００２９】
本発明に係る可視口腔洗浄器９００は、口腔洗浄器１００と、口腔観察装置２００と、接続機構３００とを備える。前記口腔洗浄器１００は、スプレーヘッド１１と、スプレーガン１２と、制御スイッチ１３と、圧力容器１４と、接続管１５と、継手１６とを備え、前記スプレーヘッド１１は、前記スプレーガン１２の先端に設けられており、前記制御スイッチ１３は、前記スプレーガン１２に設けられており、前記圧力容器１４内の流体は、前記接続管１５及び前記継手１６を介してスプレーガン１２と接続されている。前記口腔洗浄器１００は、前記接続機構３００を介して前記口腔観察装置２００に取り付けられている。前記スプレーガン１２のスプレーヘッド１１は、前記口腔観察装置２００の観察システム２４の視野内にある。前記口腔洗浄器１００の圧力容器１４は、加圧器１４−１と、水タンク１４−１２とを備える。加圧器１４−１により流体圧力を上昇させ、前記制御スイッチ１３をオンにすると、水がスプレーガン１２のスプレーヘッド１１から噴射される。よって、直視状態で歯、口腔の清掃を行うことができるとともに、清掃過程に対して画像及び映像の記録を行うことができる。
【００３０】
本発明に係る可視口腔洗浄器９００は、前記吐水口１１−１３が前記観察システム２４の視野内にあるので、前記吐水口１１−１３の位置並びに前記吐水口１１−１３からの流体の噴射時の流量の大きさ、運動方向及び運動速度をリアルタイムで観察し、清掃部位に対する正確な可視化操作を確実に実現することができる。また、本発明に係る可視口腔洗浄器は、取り外し可能な設計方式を採用するので、前記スプレーヘッド１１も、前記水タンク１４−２も、容易に取り外して洗浄することができ、使用過程がより衛生的で便利である。
【図面の簡単な説明】
【００３１】
【図１】本発明に係る可視口腔洗浄器の斜視構造模式図である。
【図１−１】図１の正面図である。
【図１−２】図１−１のＡ−Ａ断面図である。
【図１−３】図１−１のＢ−Ｂ断面図である。
【図１−４】図１−１のＣ箇所の部分拡大図である。
【図１−５】図１−１のＤ箇所の部分拡大図である。
【図２】本発明に係る可視口腔洗浄器のスプレーヘッドが取り外された時の正面図である。
【図２−１】図２のＥ−Ｅ断面図である。
【図２−２】図２のＦ−Ｆ断面図である。
【図２−３】図２のＧ箇所の部分拡大図である。
【図３】本発明に係る可視口腔洗浄器の水タンクが取り外された時の正面図である。
【図３−１】図３のＨ−Ｈ断面図である。
【図３−２】図３のＩ箇所の部分拡大図である。
【図４】図１の分解図である。
【図４−１】図４の水タンクの斜視構造模式図である。
【図５】本発明に係る可視口腔洗浄器の折り畳み状態での斜視構造模式図である。
【図６】図５の正面図である。
【図６−１】図６のＪ−Ｊ断面図である。
【図７】円錐形ノズルの斜視構造模式図である。
【図７−１】図７の底面図である。
【図７−２】図７−１のＫ−Ｋ断面図である。
【図７−３】図７−１のＬ−Ｌ断面図である。
【図８】球形ノズルの斜視構造模式図である。
【図８−１】図８の底面図である。
【図８−２】図８−１のＭ−Ｍ断面図である。
【図９】扁平形ノズルの斜視構造模式図である。
【図９−１】図９の底面図である。
【図９−２】図９−１のＮ−Ｎ断面図である。
【図１０】ねじ込み接続型水タンク付きの可視口腔洗浄器の斜視構造模式図である。
【図１０−１】図１０の水タンクが回転した後の斜視構造模式図である。
【図１１】図１０の正面図である。
【図１１−１】図１１のＰ−Ｐ断面図である。
【図１１−２】図１１−１のＱ箇所の部分拡大図である。
【図１２】図１０の水タンクが取り外された後の斜視構造模式図である。
【図１３】本発明に係る可視口腔洗浄器が有線方式で表示装置と接続される際の構造模式図である。
【図１４】本発明に係る可視口腔洗浄器が無線方式で表示装置と接続される際の構造模式図である。
【００３２】
上記の図面において、
符号１００は口腔洗浄器、符号２００は口腔観察装置、符号３００は接続機構、符号９００は本発明に係る可視口腔洗浄器である。
符号１００−１は口腔洗浄器の先端、符号１００−２は口腔洗浄器の本体である。
符号２００−１は口腔観察装置の先端、符号２００−２は口腔観察装置の本体である。
符号９００−１は本発明に係る可視口腔洗浄器の先端、符号９００−２は本発明に係る可視口腔洗浄器の本体、符号９００−４は折り畳み式接続機構である。
符号９００−４−１は回転軸、符号９００−４−２は回転軸孔である。
【００３３】
口腔洗浄器において、
符号１１はスプレーヘッド、符号１２はスプレーガン、符号１３は制御スイッチ、符号１４は圧力容器、符号１５は接続管、符号１６は継手、符号１７は基部である。
符号１１−１はノズル、符号１１−２は接続機構である。
符号１１−１１は注水口、符号１１−１２は通路、符号１１−１３は吐水口、符号１１−１４は湾曲部、符号１１−１２−１は滑らかな端面である。
符号１４−１は圧力容器の加圧器、符号１４−１２は水タンク、符号１４−２は圧力容器のハウジング、符号１４−３は圧力容器の流体収容空間、符号１４−４は注水口、符号１４−２１は楔形位置決めブロック、符号１４−２２はスライドスロット、符号１４−４１は雌ねじである。
符号１５−３は接続基部、符号１５−３１は空気吸入口、符号１５−３２は吐水口、符号１５−３３は密封リング、符号１５−３４は基部、符号１５−３４−１は雄ねじである。
符号１４２は電動加圧器である。
符号１４２−１は電動空圧器である。
符号１４２−１１は電動エアコンプレッサ、符号１４２−１１−１は空気吸入口、符号１４２−１１−２は空気注入管、符号１４２−１１−２１は空気注入口、符号１４２−１１−３はエアコンプレッサである。
【００３４】
口腔観察装置において、
符号２１はハウジング、符号２２は電源システム、符号２３は照明システム、符号２４は観察システム、符号２５は回路システム、符号２６はスイッチである。
符号２１−１は位置決めスロット、符号２１−２はスライドレールである。
符号２２−１は加圧器、符号２２−２は電源、符号２２−３は接続機構である。
符号２４−１は撮像システムである。
符号２４−１−１はカメラ、符号２４−１−２はデータ処理及び出力システム、符号２４−１−３は表示装置である。
符号２４−１−３１はスマートフォン、符号２４−１−３２はコンピュータ、符号２４−１−３３は液晶表示装置／テレビ、符号２４−１−３４はタブレットコンピュータである。
符号２５−１は口腔観察装置の先端の回路、符号２５−２は口腔観察装置の本体の回路である。
【００３５】
接続機構において、
符号３１は口腔洗浄器を口腔観察装置に取り付けるための位置決めブロック、符号３２は口腔洗浄器を口腔観察装置に取り付けるための位置決めスロット、符号３３は口腔洗浄器を口腔観察装置に取り付けるための係止ブロックである。
【発明を実施するための形態】
【００３６】
実施例１：本発明に係る可視口腔洗浄器用スプレーヘッド
【００３７】
図１〜図９に示すように、本実施例の可視口腔洗浄器用スプレーヘッド１１は、ノズル１１−１と、接続機構１１−２とを備える。
【００３８】
前記ノズル１１−１は、注水口１１−１１と、通路１１−１２と、吐水口１１−１３とを備え、前記注水口１１−１１は、可視口腔洗浄器９００の口腔洗浄器１００のスプレーガン１２の流体通路１２−１の出口１２−１１と接続されており、前記口腔洗浄器１００内の流体は、前記スプレーガン１２の流体通路１２−１の出口１２−１１を通って前記注水口１１−１１に流入し、前記通路１１−１２を通って前記吐水口１１−１３から噴射される。
【００３９】
前記ノズル１１−１は、前記接続機構１１−２を介して前記可視口腔洗浄器９００の口腔観察装置２００のハウジング２１に取り外し可能に取り付けられており、前記スプレーヘッド１１と前記スプレーガン１２との接続を実現する。
【００４０】
前記吐水口１１−１３は、前記口腔観察装置２００の観察システム２４の視野内にある。前記吐水口１１−１３は、前記口腔観察装置２００の観察システム２４の視野内にあることにより、使用過程に前記吐水口１１−１３を、清掃を必要とする歯間と直接に位置合わせすることができることを確保する。スイッチをオンにすると、噴射される流体は、歯間に直接に入って食物残渣を洗い落とすことができ、可視状態での歯間に対する正確な清掃を確実に実現することができる。
【００４１】
前記吐水口１１−１３は、滑らかな端面１１−１２−１を有する。使用過程に、前記スプレーヘッド１１が常に歯又は歯肉表面に沿って摺動する必要があるので、滑らかな端面の設計により、使用過程に、歯又は歯肉に不測の損傷が発生しないことを確保することができ、使用過程がより安全で快適である。
【００４２】
前記ノズル１１−１は、人間の口腔の要件に合う湾曲部１１−１４を有する。特に、歯の外側に沿って後側の大臼歯を清掃する必要があるときは、前記湾曲部１１−１４により、前記スプレーヘッド１１が大臼歯の位置に円滑に到達することができるので、使用過程がより快適である。
【００４３】
本実施例において、前記吐水口１１−１３が円錐形出口を採用するので、清掃を必要とする歯間と位置合わせしやすい。
【００４４】
図７〜図９−２に示すように、前記吐水口１１−１３は、楕円形、扁平形又は球形のような異なる形状を有してもよい。清掃を必要とする部位の形状及び清掃を必要とする面積の相違により、ユーザは、異なる出口形状を選択でき、例えば、歯と歯肉との結合箇所について扁平形出口を選択できるので、使用過程がより便利である。ここでは、出願人は、上記した幾つかの吐水口の形状のみを挙げたが、当業者は、本願の保護範囲から逸脱することなく、必要に応じて他の様々な形状の前記吐水口１１−１３を設計することができる。
【００４５】
図１−３及び図１−４に示すように、前記接続機構１１−１２は、逆Ｔ字形構造の位置決めブロック３１を備え、前記口腔観察装置２００のハウジング２１には、前記接続機構１１−２と接続可能な位置決めスロット３２及び係止ブロック３３が設けられており、前記接続機構１１−２における位置決めブロック３１は、前記位置決めスロット３２内に嵌め込み可能であり、前記係止ブロック３３は、前記接続機構１１−２の後方への摺動を阻止可能であり、前記スプレーヘッド１１を前記口腔観察装置２００に固定して前記スプレーヘッド１１と前記スプレーガン１２との接続を実現する。前記位置決めブロック３１と、前記位置決めスロット３２と、前記係止ブロック３３との連係作用によって前記接続機構３００を形成する。
【００４６】
本発明に係る可視口腔洗浄器用スプレーヘッドは、取り外し可能な取付方式で前記スプレーガン１２と接続されている。使用完了後、前記スプレーヘッド１１を前記口腔観察装置２００から取り外して洗浄及び交換を行うことができるので、清掃しやすく、使用過程がより衛生的である。
【００４７】
実施例２：本発明に係る可視口腔洗浄器
【００４８】
図１〜図４−１に示すように、本実施例の可視口腔洗浄器は、実施例１の前記スプレーヘッド１１を備える。
【００４９】
前記可視口腔洗浄器９００は、口腔洗浄器１００と、口腔観察装置２００と、接続機構３００とを備える。
【００５０】
前記口腔洗浄器１００は、スプレーヘッド１１と、スプレーガン１２と、制御スイッチ１３と、圧力容器１４と、接続管１５と、継手１６とを備え、前記スプレーヘッド１１は、前記スプレーガン１２の先端に取り外し可能に設けられており、前記制御スイッチ１３は、前記スプレーガン１２における流体の噴射を制御可能であり、前記圧力容器１４内の流体は、前記接続管１５及び前記継手１６を介してスプレーガン１２と接続されている。
【００５１】
前記口腔観察装置２００は、ハウジング２１と、電源システム２２と、照明システム２３と、観察システム２４と、回路システム２５と、スイッチ２６とを備え、前記照明システム２３、前記観察システム２４、前記回路システム２５及び前記電源システム２２は、前記ハウジング２１内に取り付けられており、前記スイッチ２６は、前記ハウジング２１に取り付けられており、前記照明システム２３と、前記観察システム２４と、前記電源システム２２と、スイッチ２６とは、前記回路システム２５を介して接続されている。
【００５２】
前記口腔洗浄器１００は、前記接続機構３００を介して前記口腔観察装置２００に取り付けられている。
【００５３】
前記口腔洗浄器１００の圧力容器１４は、加圧器１４−１と、水タンク１４−１２とを備え、前記水タンク１４−１２は、ハウジング１４−２と、流体収容空間１４−３とを備え、前記加圧器１４−１は、前記水タンク１４−１２内の流体を加圧可能である。
【００５４】
本実施例において、前記水タンク１４−１２は、締り嵌め接続方式で前記接続管１５に取り外し可能に取り付けられている。取り外し可能な接続方式により、使用過程に、前記水タンク１４−１２を前記接続管１５から容易に取り外して清掃することができるので、使用過程がより衛生的である。
【００５５】
前記接続管１５には、空気吸入口１５−３１と、吐水口１５−３２と、密封リング１５−３３と、基部１５−３４とを備える接続基部１５−３が設けられており、前記密封リング１５−３３は、前記基部１５−３４の外輪に設けられており、前記基部１５−３４と一体に製造されたものである。前記水タンク１４−１２のハウジング１４−２には、楔形位置決めブロック１４−２１及びスライドスロット１４−２２が設けられている。図４及び図４−１に示すように、前記口腔観察装置２００のハウジングには、位置決めスロット２１−１及びスライドレール２１−２が設けられている。
【００５６】
前記水タンク１４−１２を取り付けるとき、前記楔形位置決めブロック１４−２１が前記位置決めスロット２１−１内に嵌め込まれて前記位置決めスロット２１−１内の弾性シート２１−１１が弾むまで、前記スライドスロット１４−２２をスライドレール２１−２に沿って上へ摺動させることによって、前記楔形位置決めブロック１４−２１が前記位置決めスロット２１−１内から外れることを防止する。このとき、前記密封リング１５−３３の外径が前記水タンク１４−１２の注水口１４−４の内径よりも大きいので、前記接続基部１５−３の軟質の密封リング１５−３３と前記水タンク１４−１２の硬質の注水口１４−４との間には、締り嵌めが形成され、水タンク１４−１２が取り付けられた後の密封を実現する。前記楔形位置決めブロック１４−２１と前記位置決めスロット２１−１との凹凸嵌合により前記水タンク１４−１２と前記接続基部１５−３との接続を実現する。
【００５７】
前記水タンク１４−１２を取り外すとき、力によって前記水タンク１４−１２を引き下げ、前記位置決めスロット２１−１内の弾性シート２１−１１を押し下げると、前記楔形位置決めブロック１４−２１が前記位置決めスロット２１−１から外れる。これよって、前記水タンク１４−１２を取り外すことができる。
【００５８】
前記加圧器１４−１は、機械式加圧器であってもよく、電動加圧器であってもよい。本実施例において、前記加圧器１４−１は、電動加圧器１４２である。
【００５９】
前記電動加圧器１４２は、電源をオンにするだけで自動圧力上昇を実現し、圧力を安定に保つことができるので、使用過程がより便利である。前記加圧器１４−１が電動加圧器１４２である場合、前記電源システム２２には、前記電動加圧器１４２をより良好に駆動して作動させるように前記電源システム２２の電圧を上昇させるために、加圧器２２−１を設けてもよい。
【００６０】
本実施例において、前記電動加圧器１４２は、電動空圧器１４２−１であり、前記電動空圧器１４２−１は、電動エアコンプレッサ１４２−１１である。
【００６１】
図１−２及び図２−１に示すように、前記電動エアコンプレッサ１４２−１１は、空気吸入口１４２−１１−１と、空気注入管１４２−１１−２と、コンプレッサ１４２−１１−３とを備える。
【００６２】
本実施例において、前記電源システム２２により前記電動エアコンプレッサ１４２−１１をより良好に駆動して作動させるために、前記電源システム２２に加圧器２２−１を設け、前記電源システム２２の電源２２−２と前記加圧器２２−１との間に接続機構２２−３を設ける。前記加圧器２２−１は、前記電源システム２２を加圧することができる。
【００６３】
前記電動エアコンプレッサ１４２−１１は、前記口腔観察装置２００のハウジング２１内に取り付けられており、前記空気注入管１４２−１１−２は、前記接続基部１５−３の空気吸入口１５−３１に接続されている。空気が、前記コンプレッサ１４２−１１−３により加圧された後に前記空気注入管１４２−１１−２を通って前記接続基部１５−３の空気吸入口１５−３１から前記水タンク１４−１２に流入することによって、前記水タンク１４−１２内の流体を加圧する。加圧された流体は、前記吐水口１５−３２を通って前記接続管１５に流入し、前記継手１６を通って前記スプレーガン１２に流入し、最後に、前記スプレーヘッド１１のノズル１１−１から噴射され、清掃を必要とする部位を洗浄する。
【００６４】
前記電動エアコンプレッサ１４２−１１は、前記口腔観察装置２００のハウジング２１内に取り付けられている。前記空気注入管１４２−１１−２だけで加圧された空気を前記水タンク１４−１２に輸送し、前記水タンク１４−１２内の流体を加圧し、前記水タンク１４−１２と効果的に離隔することで、流体が前記コンプレッサ１４２−１１−３に入ることを効果的に防止できるので、使用過程がより安全で信頼性が高い。
【００６５】
前記観察システム２４は、カメラ２４−１−１と、データ処理及び出力システム２４−１−２と、回路システム２５と、電源システム２２とを備える撮像システム２４−１である。
【００６６】
図１３及び図１４に示すように、前記撮像システム２４−１のデータ処理及び出力システム２４−１−２によって出力される映像データは、有線接続又は無線接続方式で表示装置２４−１−３に表示可能であり、前記表示装置２４−１−３は、スマートフォン２４−１−３１、コンピュータ２４−１−３２、液晶表示装置２４−１−３３又はテレビ２４−１−３４を含む。
【００６７】
前記照明システム２３は、前記カメラ２４−１−１の周囲に設けられている。照明を向上させるために、照明輝度を調整するための追加のＬＥＤライトを前記口腔観察装置２００のハウジング２１に設けてもよい。
【００６８】
作動時に、前記スイッチ２６をオンにすると、前記電源システム２２と前記電動エアコンプレッサ１４２−１１を接続し、前記電動エアコンプレッサ１４２−１１が作動し、空気が、前記空気吸入口１４２−１１−１から前記電動エアコンプレッサ１４２−１１に吸入され、前記コンプレッサ１４２−１１−３により加圧された後、空気注入管１４２−１１−２の空気注入口１４２−１１−２１を経て前記圧力容器１４の流体収容空間１４−３内へ空気を注入し、水圧を上昇させる。前記制御スイッチ１３をオンにすると、加圧された水は、前記流体収容空間１４−３の底部に配置された前記接続管１５を通って前記スプレーガン１２に流入した後、前記スプレーヘッド１１から噴射され、歯を洗浄する。
【００６９】
本実施例において、前記可視口腔洗浄器９００の先端９００−１と前記可視口腔洗浄器９００の本体９００−２とは、折り畳み式接続機構９００−４を介して接続されている。
【００７０】
本実施例において、前記折り畳み式接続機構９００−４は、回転軸運動機構である。前記折り畳み式接続機構９００−４は、凹凸嵌合機構、あるいは本願の保護範囲から逸脱することなく必要に応じて設計される他の様々な構造の折り畳み手段であってもよい。
【００７１】
前記折り畳み式接続機構９００−４は、回転軸９００−４−１と、回転軸孔９００−４−２とを備え、前記回転軸９００−４−１は、前記回転軸孔９００−４−２内で運動可能である。
【００７２】
図５〜図６−１に示すように、前記可視口腔洗浄器９００の口腔観察装置２００の先端２００−１と前記口腔観察装置２００の本体２００−２とは、折り畳み式接続機構９００−４を介して接続されている。前記口腔観察装置２００の先端２００−１の回路２５−１と前記口腔観察装置２００の本体２００−２の回路２５−２とは、折り曲げ可能な可撓性回路を介して接続されているので、使用完了後、前記口腔観察装置２００の先端２００−１を前記回転軸９００−４−１のまわりに回転させるだけで、前記口腔観察装置２００の先端２００−１を前記口腔観察装置２００の本体２００−２に対して折り畳むことができ、保管及び携帯に便利である。使用したい時、前記口腔観察装置２００の先端２００−１を前記回転軸９００−４−１のまわりに逆方向に回転させるだけで前記口腔観察装置２００を展開することができる。
【００７３】
前記可視口腔洗浄器９００の口腔洗浄器１００の先端１００−１と前記口腔洗浄器１００の本体１００−２とは、折り畳み式接続機構９００−４を介して接続されている。前記口腔洗浄器１００の先端１００−１が前記折り畳み式接続機構９００−４の前記回転軸９００−４−１のまわりに回転するとき、前記口腔洗浄器１００の先端１００−１を前記口腔洗浄器１００の本体１００−２に対して展開する又は折り畳むことができる。前記口腔洗浄器１００の先端１００−１の水路は、前記継手１６を介して前記口腔洗浄器１００の本体１００−２の水路と接続されている。前記継手１６は、折り畳み過程にホースのように折り曲げられて折り畳み動作を繰り返す必要がないので、折り畳みの繰り返しによるホースの疲労破断を効果的に回避し、製品の耐用年数を効果的に向上させることができる。
【００７４】
使用時に、まず、前記可視口腔洗浄器９００の先端９００−１を前記折り畳み式接続機構９００−４のまわりに回転させ、前記可視口腔洗浄器９００を展開し、次いで、前記スプレーヘッド１１を、前記接続機構１１−２を介して前記口腔観察装置２００のハウジング２１に接続し、前記スプレーヘッド１１とスプレーガン１２との接続を実現する。前記口腔観察装置２００を起動し、前記スプレーヘッド１１の吐水口１１−１３を、清掃を必要とする歯間と位置合わせし、前記制御スイッチ１３をオンにすることで、加圧された水は、前記吐水口１１−１３から噴射され、清掃を必要とする部位を正確に清掃することができるとともに、必要に応じて清掃過程に対して画像及び映像の記録を行うことができる。前記水タンク１４−２を清掃する必要があると感じる場合、前記水タンク１４−２を前記接続基部１５−３から取り外すだけで洗浄を行うことができる。使用完了後、前記スプレーヘッド１１及び前記水タンク１４−２を取り外し、きれいに洗浄し、前記可視口腔洗浄器９００の先端９００−１を前記折り畳み式接続機構９００−４のまわりに回転させ、前記可視口腔洗浄器９００を折り畳んで保管すればよい。
【００７５】
本発明に係る可視口腔洗浄器９００は、前記吐水口１１−１３が前記観察システム２４の視野内にあるので、前記吐水口１１−１３の位置並びに前記吐水口１１−１３からの流体の噴射時の流量の大きさ、運動方向及び運動速度をリアルタイムで観察し、清掃部位に対する正確な可視化操作を確実に実現することができる。また、本発明に係る可視口腔洗浄器は、取り外し可能な設計方式を採用するので、前記スプレーヘッド１１も、前記水タンク１４−２も、容易に取り外して洗浄することができ、使用過程がより衛生的で便利である。
【００７６】
実施例３：本発明のねじ込み接続型水タンク付きの可視口腔洗浄器
【００７７】
図１０〜図１２に示すように、本実施例と実施例２との相違は、本実施例において、前記水タンク１４−１２がねじ込み接続方式で前記接続管１５の接続基部１５−３と接続されている点にある。
【００７８】
図１１−１及び図１１−２に示すように、前記水タンク１４−１２の注水口１４−４の外側には、雌ねじ１４−４１が設けられており、前記接続基部１５−３の基部１５−３４には、雄ねじ１５−３４−１が設けられている。前記水タンク１４−１２を取り付けるとき、前記水タンク１４−１２の注水口１４−４の端部が前記接続基部１５−３の密封リング１５−３３に押し付けられ、前記密封リング１５−３３が押されるように、前記水タンク１４−１２を回転させて前記雌ねじ１４−４１と前記雄ねじ１５−３４−１を接続して締結するだけで、接続部に対して良好な密封を形成する。
【００７９】
ねじ込み接続型水タンクは、着脱過程がより簡単であり、より強固な接続を実現し、使用過程がより安全で便利である。
【００８０】
本願では、出願人は、前記水タンク１４−１２と前記接続管１５との締り嵌め及びねじ込み接続という２つの接続方式のみを詳述したが、当業者は、本願の保護範囲から逸脱することなく、前記水タンク１４−１２と前記接続管１５との間の接続を実現するために他の様々な構造の接続方式を設計することができる。
【００８１】
なお、本明細書で開示され、記載されている各構造は、同じ効果を有する他の構造に置き換えられてもよく、本明細書に記載の実施例は、本発明を実現する唯一の構造ではないことに留意されたい。本明細書では、本発明の好ましい実施例について紹介および説明したが、当業者には、これらの実施例が例示して説明したものに過ぎないことがわかるであろう。当業者は、本発明から逸脱することなく多くの変更、改良および置換を行うことができる。したがって、本発明の保護範囲は、本発明の添付の特許請求の範囲の思想および範囲に従って規定されるべきである。
【図１】
2020531062.tif 000003
【図１−１】
2020531062.tif 000004
【図１−２】
2020531062.tif 000005
【図１−３】
2020531062.tif 000006
【図１−４】
2020531062.tif 000007
【図１−５】
2020531062.tif 000008
【図２】
2020531062.tif 000009
【図２−１】
2020531062.tif 000010
【図２−２】
2020531062.tif 000011
【図２−３】
2020531062.tif 000012
【図３】
2020531062.tif 000013
【図３−１】
2020531062.tif 000014
【図３−２】
2020531062.tif 000015
【図４】
2020531062.tif 000016
【図４−１】
2020531062.tif 000017
【図５】
2020531062.tif 000018
【図６】
2020531062.tif 000019
【図６−１】
2020531062.tif 000020
【図７】
2020531062.tif 000021
【図７−１】
2020531062.tif 000022
【図７−２】
2020531062.tif 000023
【図８】
2020531062.tif 000024
【図８−１】
2020531062.tif 000025
【図８−２】
2020531062.tif 000026
【図９】
2020531062.tif 000027
【図９−１】
2020531062.tif 000028
【図９−２】
2020531062.tif 000029
【図１０】
2020531062.tif 000030
【図１０−１】
2020531062.tif 000031
【図１１】
2020531062.tif 000032
【図１１−１】
2020531062.tif 000033
【図１１−２】
2020531062.tif 000034
【図１２】
2020531062.tif 000035
【図１３】
2020531062.tif 000036
【図１４】
2020531062.tif 000037
【国際調査報告】
2020531062.tif 000038
2020531062.tif 000039
2020531062.tif 000040
2020531062.tif 000041